(57)【要約】【課題】認証媒体が紛失した場合でも、セキュリティを保ちながら手間をかけることなく、他の認証媒体を容易に使用することができる入退室管理システムの提供。【解決手段】非接触キー６ｂが紛失したとき、この紛失した非接触キー６ａが与えられたグループに属する全ての非接触キー６ａ〜６ｃを一括に無効にし、自動ドア１Ａ及び電気錠２Ｂの動作を制御するドア制御装置３に対して、無効にした非接触キー６ａ〜６ｃによるエントランスホール１の出入口の開放を不可能とさせる入退室管理システムにおいて、無効にされた当該グループに属する非接触キー６ａ〜６ｃの識別コードのうち、１０１号室２への入室が予め許可されている非接触キー６ａ，６ｃの識別コードを１０１号室リーダ５が読み取ったとき、当該非接触キー６ａ，６ｂを無効から有効にする管理サーバ９Ａを備えた。【選択図】図１
2014088749.tif 000002
【特許請求の範囲】
【請求項１】
前記建物に配設される共有部の出入口と、前記共有部の入室側に配設される専有部の出入口と、前記建物に居住する各世帯がそれぞれグループとして管理されると共に、前記グループ毎に複数個与えられ、それぞれ識別コードが記憶された複数の認証媒体と、これらの認証媒体の識別コードに対して、前記共有部及び前記専有部への入室の可否を前記グループ毎に分類して記憶する記憶部と、前記共有部の退室側に設けられ、前記認証媒体の識別コードを読み取る共有部読取装置と、前記専有部の退室側に設けられ、前記認証媒体の識別コードを読み取る専有部読取装置と、前記共有部読取装置で読み込んだ前記認証媒体の識別コードに対して、前記共有部への入室の許可が前記記憶部に格納されているとき、前記共有部の出入口の開放を可能にすると共に、前記専有部読取装置で読み込んだ前記認証媒体の識別コードに対して、前記専有部への入室の許可が前記記憶部に格納されているとき、前記専有部の出入口の開放を可能にする出入口制御装置とを備え、前記認証媒体が紛失したとき、前記複数の認証媒体のうち紛失した認証媒体が与えられた前記グループに属する全ての認証媒体を一括に無効にし、前記出入口制御装置に対してこれらの認証媒体による前記共有部の出入口の開放を不可能とさせる入退室管理システムにおいて、
無効にされた当該グループに属する前記認証媒体の識別コードのうち、前記専有部への入室が予め許可されている認証媒体の識別コードを前記専有部読取装置が読み取ったとき、当該認証媒体を無効から有効にする認証媒体有効装置を備えたことを特徴とする入退室管理システム。
【発明の詳細な説明】
【技術分野】
【０００１】
本発明は、建物の共有部及び専有部への入退室の管理を行う入退室管理システムに関する。
【背景技術】
【０００２】
この種の入退室管理システムは、建物の共有部及び専有部への入退室を行う鍵となる認証媒体として、例えば個体情報を持つ非接触キーを建物に居住する各世帯に複数個与え、各世帯の居住者の非接触キーを管理することで共有部及び専有部への入退室の適否を判断するようにしている。
【０００３】
ここで、居住者が非接触キーを紛失した場合には、セキュリティ上の理由からシステム管理者に紛失した非接触キーの特定が可能な識別コード等の情報を連絡し、連絡を受けたシステム管理者が該当する非接触キーの使用不可登録を行うのが一般的であるが、対象となる非接触キーは紛失しているので、無効に設定する非接触キーの特定が困難になっていた。
【０００４】
そこで、建物に居住する世帯毎のようにグループ毎に非接触キーを分類し、非接触キーが紛失したときにはグループ毎に非接触キーを無効に設定することで、セキュリティの維持と管理者の省力化を図る入退室管理システムが従来技術の１つとして提案されている（例えば、特許文献１参照）。
【先行技術文献】
【特許文献】
【０００５】
【特許文献１】特開２００５−３８２３６号公報
【発明の概要】
【発明が解決しようとする課題】
【０００６】
しかしながら、上述した特許文献１に開示された従来技術の入退室管理システムによって紛失した非接触キーのグループに属する非接触キーを全て無効にすると、現存する紛失していない他の非接触キーを再び有効にするには、非接触キーに付与された認識番号に基づき変更するので、現存する紛失していない非接触キー毎に認識番号を確認する必要があり、この認識番号の特定に時間がかかることが問題になっている。また、紛失した非接触キーのグループに属する非接触キーを全て新しいものに取り替える場合には、新しい非接触キーが配布されるまでの間、居住者に迷惑をかける虞がある。
【０００７】
本発明は、このような従来技術の実情からなされたもので、その目的は、認証媒体が紛失した場合でも、セキュリティを保ちながら手間をかけることなく、他の認証媒体を容易に使用することができる入退室管理システムを提供することにある。
【課題を解決するための手段】
【０００８】
上記の目的を達成するために、本発明の入退室管理システムは、前記建物に配設される共有部の出入口と、前記共有部の入室側に配設される専有部の出入口と、前記建物に居住する各世帯がそれぞれグループとして管理されると共に、前記グループ毎に複数個与えられ、それぞれ識別コードが記憶された複数の認証媒体と、これらの認証媒体の識別コードに対して、前記共有部及び前記専有部への入室の可否を前記グループ毎に分類して記憶する記憶部と、前記共有部の退室側に設けられ、前記認証媒体の識別コードを読み取る共有部読取装置と、前記専有部の退室側に設けられ、前記認証媒体の識別コードを読み取る専有部読取装置と、前記共有部読取装置で読み込んだ前記認証媒体の識別コードに対して、前記共有部への入室の許可が前記記憶部に格納されているとき、前記共有部の出入口の開放を可能にすると共に、前記専有部読取装置で読み込んだ前記認証媒体の識別コードに対して、前記専有部への入室の許可が前記記憶部に格納されているとき、前記専有部の出入口の開放を可能にする出入口制御装置とを備え、前記認証媒体が紛失したとき、前記複数の認証媒体のうち紛失した認証媒体が与えられた前記グループに属する全ての認証媒体を一括に無効にし、前記出入口制御装置に対してこれらの認証媒体による前記共有部の出入口の開放を不可能とさせる入退室管理システムにおいて、無効にされた当該グループに属する前記認証媒体の識別コードのうち、前記専有部への入室が予め許可されている認証媒体の識別コードを前記専有部読取装置が読み取ったとき、当該認証媒体を無効から有効にする認証媒体有効装置を備えたことを特徴としている。
【発明の効果】
【０００９】
本発明の入退室管理システムによれば、認証媒体が紛失した場合でも、セキュリティを保ちながら手間をかけることなく、他の認証媒体を容易に使用することができる。前述した以外の課題、構成及び効果は、以下の実施形態の説明により明らかにされる。
【図面の簡単な説明】
【００１０】
【図１】本発明に係る入退室管理システムの一実施形態の構成を示す図である。
【図２】図１に示す記憶部の有効無効識別テーブルのうち通常状態、グループ一括失効状態、及び失効解除状態のものを説明する図である。
【図３】本実施形態の動作を説明するフローチャートである。
【発明を実施するための形態】
【００１１】
以下、本発明に係る入退室管理システムを実施するための形態を図に基づいて説明する。
【００１２】
本発明に係る入退室管理システムの一実施形態は、建物として例えば不審者の入場を阻止する防犯の観点からセキュリティが必要とされる共有部及び専有部を有する集合住宅に適用される。この集合住宅の専有部は共有部の入室側に設けられおり、共有部は、例えばエントランスホール１から成り、このエントランスホール１には出入口が配設されている。また、専有部は、例えば集合住宅に居住する各世帯Ａ〜Ｎのうち世帯Ａが居住する１０１号室２から成り、この１０１号室２には出入口が配設されている。
【００１３】
そして、本実施形態は、図１に示すようにエントランスホール１及び１０１号室２への入退室を特定の者に制限する出入口制御装置を備えている。なお、専有部は、１０１号室２の他にも世帯Ａ以外の世帯が居住する居室等が設けられているが、これらの居室等への入退室も１０１号室２への入退室と同様であるので、以下の説明において省略している。
【００１４】
上述の出入口制御装置は、例えばエントランスホール１の出入口に設けられた自動ドア１Ａと、この自動ドア１Ａを駆動する自動ドア駆動装置１Ｂとを有している。また、出入口制御装置は、例えばエントランスホール１の入室側、かつ１０１号室２の退室側に配設され、１０１号室２の出入口に設けられたドア２Ａと、このドア２Ａを解錠・施錠する電気錠２Ｂとを有している。
【００１５】
さらに、出入口制御装置は、例えば自動ドア駆動装置１Ｂへ制御信号を出力して自動ドア１Ａの動作を制御すると共に、電気錠２Ｂへ制御信号を出力して電気錠２Ｂの動作を制御するドア制御装置３を有している。自動ドア駆動装置１Ｂ及びドア制御装置３は、例えばエントランスホール１内に設けられている。また、エントランスホール１と別の場所には、通信回線である広域ネットワーク網８を介して遠隔的に接続され、ドア制御装置３と種々のデータを送受信するデータセンター９が設けられている。
【００１６】
本実施形態は、集合住宅に不審者の入場を阻止する防犯の観点から、集合住宅に居住する各世帯Ａ〜Ｎがそれぞれグループ６，・・・，７として管理されると共に、グループ６，・・・，７毎に複数個与えられ、それぞれ識別コードが記憶された複数の認証媒体を備えており、これらの複数の認証媒体は、例えば非接触キー６ａ〜６ｃ，・・・，７ａ〜７ｃから成っている。なお、非接触キー６ａ〜６ｃ，・・・，７ａ〜７ｃの識別コードは、例えばそれぞれ異なる番号が割り当てられた識別データから成っている。
【００１７】
また、本実施形態は、集合住宅のエントランスホール１の退室側に設けられ、非接触キー６ａ〜６ｃ，・・・，７ａ〜７ｃの識別データを読み取る共有部読取装置、すなわちエントランスホールリーダ４を備え、このエントランスホールリーダ４は、例えば非接触キー６ａ〜６ｃ，・・・，７ａ〜７ｃの識別データを読み取るとともに、エントランスホール１の出入口の開放の可否を表示する読取り・表示部４ａと、ドア制御装置３へ信号を出力する通信回路４ｂとから構成されている。なお、エントランスホールリーダ４は、例えばエントランスホール１の退室側のうち自動ドア１Ａの近傍に配置されている。
【００１８】
さらに、本実施形態は、集合住宅の１０１号室２の退室側に設けられ、非接触キー６ａ〜６ｃ，・・・，７ａ〜７ｃの識別データを読み取る専有部読取装置、すなわち１０１号室リーダ５を備え、この１０１号室リーダ５は、例えば非接触キー６ａ〜６ｃ，・・・，７ａ〜７ｃの識別データを読み取るとともに、１０１号室リーダ５の出入口の開放の可否を表示する読取り・表示部５ａと、ドア制御装置３へ信号を出力する通信回路５ｂとから構成されている。なお、１０１号室リーダ５は、例えば１０１号室２の退室側のうちドア２Ａの近傍に配置されている。
【００１９】
データセンター９は、広域ネットワーク網８に接続され、情報の通信を行う回線制御回路９Ｃと、この回線制御回路９Ｃに接続され、機器の制御を少なくとも行う管理サーバ９Ａと、この管理サーバ９Ａに接続され、種々の情報を格納する記憶部９Ｂとを少なくとも有している。この記憶部９Ｂは、非接触キー６ａ〜６ｃ，・・・，７ａ〜７ｃの識別コードに対して、エントランスホール１及び１０１号室２への入室の可否をグループ毎に分類して記憶するようになっている。なお、データセンター９は、例えば管理サーバ９Ａに接続され、機器に対して各種の入力を行う入力装置（図示せず）を有している。
【００２０】
また、管理サーバ９Ａは、非接触キー６ａ〜６ｃ，・・・，７ａ〜７ｃのいずれかが紛失したとき、入力装置の入力を受けて複数の非接触キー６ａ〜６ｃ，・・・，７ａ〜７ｃのうち紛失した非接触キーが与えられたグループに属する全ての非接触キーを一括に無効にする処理（以下、便宜的に無効処理と呼ぶ）を行い、ドア制御装置３に対してこれらの非接触キーによるエントランスホール１の出入口の開放を不可能とさせるようにしている。
【００２１】
一方、ドア制御装置３は、例えば後述する内部の装置や回路の動作処理を行うＣＰＵ３ａと、このＣＰＵ３ａ及び自動ドア駆動装置１Ｂに接続され、この自動ドア駆動装置１Ｂへ制御信号を出力して自動ドア１Ａの開閉動作を制御する自動ドア制御装置３ｃと、エントランスホールリーダ４の通信回路４ｂ及び１０１号室リーダ５の通信回路５ｂに接続され、エントランスホールリーダ４及び１０１号室リーダ５と情報の通信を行う通信回路３ｂと、ＣＰＵ３ａ及び電気錠２Ｂに接続され、この電気錠２Ｂへ制御信号を出力して電気錠２Ｂの解錠施錠動作を制御する電気錠制御装置３ｄと、広域ネットワーク網８及びＣＰＵ３ａに接続され、データセンター９と情報の通信を行う回線制御回路３ｅとから少なくとも構成されている。
【００２２】
ドア制御装置３のＣＰＵ３ａは、例えばエントランスホールリーダ４で読み込んだ非接触キー６ａ〜６ｃ，・・・，７ａ〜７ｃの識別コードに対して、エントランスホール１への入室の許可が記憶部９Ｂに格納されているとき、エントランスホール１の出入口の開放を可能にする処理を行うと共に、１０１号室リーダ５で読み込んだ非接触キー６ａ〜６ｃ，・・・，７ａ〜７ｃの識別コードに対して、１０１号室２への入室の許可が記憶部９Ｂに格納されているとき、１０１号室２の出入口を可能にする処理を行うようにしている。
【００２３】
一方、ドア制御装置３のＣＰＵ３ａは、例えばエントランスホールリーダ４で読み込んだ非接触キー６ａ〜６ｃ，・・・，７ａ〜７ｃの識別コードに対して、エントランスホール１への入室の不許可が記憶部９Ｂに格納されているとき、エントランスホール１の出入口を不可能にする処理を行うと共に、１０１号室リーダ５で読み込んだ非接触キー６ａ〜６ｃ，・・・，７ａ〜７ｃの識別コードに対して、１０１号室２への入室の不許可が記憶部９Ｂに格納されているとき、１０１号室２の出入口を不可能にする処理を行うようにしている。
【００２４】
本実施形態は、無効処理によって無効にされたグループに属する非接触キー６ａ〜６ｃ，・・・，７ａ〜７ｃの識別コードのうち、１０１号室２への入室が予め許可されている非接触キー６ａ〜６ｃ，・・・，７ａ〜７ｃの識別コードを１０１号室リーダ５が読み取ったとき、当該非接触キー６ａ〜６ｃ，・・・，７ａ〜７ｃを無効から有効にする処理（以下、便宜的に有効処理）を行う認証媒体有効装置（図示せず）を備えており、この認証媒体有効装置は、例えばデータセンター９の管理サーバ９Ａ内に組み込まれている。
【００２５】
ここで、データセンター９の記憶部９Ｂは、世帯Ａ〜Ｎであるグループ６，・・・，７に属する非接触キー６ａ〜６ｃ，・・・７ａ〜７ｃが有効又は無効であるかを示す有効無効識別テーブル９Ｂａを少なくとも有している。本実施形態では、無効処理及び有効処理を含む上述の処理は、記憶部９Ｂの有効無効識別テーブル９Ｂａを参照及び更新して行われる。
【００２６】
有効無効識別テーブル９Ｂａは、例えば図２に示すように縦列として、世帯Ａ〜Ｎであるグループ６，・・・，７を上から順に示すグループ列１０ａと、このグループ列１０ａに示されたグループ６，・・・，７に対応して非接触キー６ａ〜６ｃ，・・・，７ａ〜７ｃの認識番号を上から順に示す認識番号列１０ｂと、この認識番号列１０ｂに示された非接触キー６ａ〜６ｃ，・・・，７ａ〜７ｃに対応して集合住宅のエントランスホール１及び１０１号室２等に対する入室の可否を示す許可列１０ｃと、エントランスホールリーダ４に対する非接触キー６ａ〜６ｃ，・・・，７ａ〜７ｃの使用の可否、すなわちエントランスホールリーダ４に対する非接触キー６ａ〜６ｃ，・・・，７ａ〜７ｃの失効が無しになっているか（非接触キー６ａ〜６ｃ，・・・，７ａ〜７ｃが有効である）、又は非接触キー６ａ〜６ｃ，・・・，７ａ〜７ｃの失効が有りになっているか（非接触キー６ａ〜６ｃ，・・・，７ａ〜７ｃが無効である）を示す失効有無列１０ｄとを有している。
【００２７】
従って、有効無効識別テーブル９Ｂａでは、非接触キー６ａ〜６ｃ，・・・，７ａ〜７ｃに対するエントランスホール１や１０１号室２等への入室の可否が許可列１０ｃに基づいて判定され、エントランスホールリーダ４に対する非接触キー６ａ〜６ｃ，・・・，７ａ〜７ｃの使用の可否が失効有無列１０ｄに基づいて判定される。
【００２８】
すなわち、有効無効識別テーブル９Ｂａの許可列１０ｃにおいて非接触キー６ａ〜６ｃ，・・・，７ａ〜７ｃに対応するエントランスホール１への入室の可否が許可となっていても、失効有無列１０ｄにおいて当該非接触キー６ａ〜６ｃ，・・・，７ａ〜７ｃの失効が有り（当該非接触キー６ａ〜６ｃ，・・・，７ａ〜７ｃが無効である）になっていれば、当該非接触キー６ａ〜６ｃ，・・・，７ａ〜７ｃがエントランスホールリーダ１の読取り・表示部４ａで読み取られても、管理サーバ９Ａは、ドア制御装置３に対して自動ドア１Ａを開扉させず、エントランスホール１の出入口を開放しないようにしている。
【００２９】
次に、本実施形態の動作を図３のフローチャートに基づいて詳細に説明する。
【００３０】
図３は本実施形態の動作を説明するフローチャートである。
【００３１】
まず、非接触キー６ａ〜６ｃ，・・・，７ａ〜７ｃが紛失していないときの通常状態において、例えばグループ６に分類された世帯Ａの住人（図示せず）が非接触キー６ａをエントランスホールリーダ４の読取り・表示部４ａに翳すと（ステップ（以下、Ｓと記す）１）、読取り・表示部４ａは、非接触キー６ａの識別データを読取り（Ｓ２）、通信回路４ｂを介してドア制御装置３の通信回路３ｂへ送信する。
【００３２】
次に、非接触キー６ａの識別データを取得したＣＰＵ３ａは、回線制御回路３ｅを起動し、広域ネットワーク網８を介してデータセンター９の回線制御回路９Ｃへ非接触キー６ａの識別データ、及びエントランスホール１への入室に関する情報を送信する（Ｓ３）。そして、管理サーバ９Ａは、ドア制御装置３から情報を受信すると、受信した情報がエントランスホール１への入室に関する情報か否かを判断する（Ｓ４）。
【００３３】
手順Ｓ４において管理サーバ９Ａは、回線制御回路９Ｃから非接触キー６ａの識別データ、及びエントランスホール１への入室に関する情報を取得するので、受信した情報がエントランスホール１への入室に関する情報であると判断し、記憶部９Ｂの有効無効識別テーブル９Ｂａのうち通常状態のもの（図２上段参照）を参照して照合を行うことにより、非接触キー６ａに対するエントランスホール１への入室の可否を判断する。
【００３４】
ここで、有効無効識別テーブル９Ｂａのうち通常状態のものでは、世帯Ａが属するグループ６の認識番号列１０ｂの非接触キー６ａに対し、許可列１０ｃにおいてエントランスホール１への入室の許可を確認し（Ｓ５）、許可列１０ｃにおいてエントランスホール１への入室の許可が示されているので、管理サーバ９Ａは、非接触キー６ａに対するエントランスホール１への入室が許可されていると判断し、エントランスホールリーダ４に対する非接触キー６ａの使用の可否を判断する。
【００３５】
また、有効無効識別テーブル９Ｂａのうち通常状態のものでは、世帯Ａが属するグループ６の認識番号列１０ｂの非接触キー６ａに対し、失効有無列１０ｄにおいて失効の有無を確認し（Ｓ６）、失効有無列１０ｄにおいて失効が無しになっている（非接触キー６ａが有効）ので、管理サーバ９Ａは、エントランスホールリーダ４に対する非接触キー６ａの使用が可能であると判断し、エントランスホール１の出入口の開放指令信号を回線制御回路９Ｃ及び広域ネットワーク網８を介してドア制御装置３の回線制御回路３ｅへ返信する。
【００３６】
そして、回線制御回路３ｅから開放指令信号を受信したＣＰＵ３ａは、自動ドア制御装置３ｃを起動し、自動ドア駆動装置１Ｂを作動して自動ドア１Ａを開扉し、エントランスホール１の出入口を開放する（Ｓ７）。
【００３７】
一方、手順Ｓ５において仮に有効無効識別テーブル９Ｂａのうち通常状態のものに、世帯Ａが属するグループ６の認識番号列１０ｂの非接触キー６ａに対し、許可列１０ｃにおいてエントランスホール１への入室の不許可が示されていれば、管理サーバ９Ａは、非接触キー６ａに対するエントランスホール１への入室が許可されていないと判断し、エントランスホール１の出入口の開放不可信号を回線制御回路９Ｃ及び広域ネットワーク網８を介してドア制御装置３の回線制御回路３ｅへ返信する（Ｓ８）。
【００３８】
そして、回線制御回路３ｅから開放不可信号を受信したＣＰＵ３ａは、通信回路３ｂを介して開放不可信号をエントランスホールリーダ４の通信回路４ｂへ送信すると、読取り・表示部４ａは、自動ドア１Ａが開かない旨の表示やブザー等によって非接触キー６ａが利用不可であることを報知する（Ｓ９）。
【００３９】
次に、非接触キー６ａ〜６ｃ，・・・，７ａ〜７ｃのうち例えば非接触キー６ｂが紛失し、この非接触キー６ｂが属するグループの全ての非接触キー６ａ〜６ｃが無効にされたグループ一括失効状態になるまでの動作の説明を行う。
【００４０】
グループ６に分類された世帯Ａの住人（図示せず）が非接触キー６ｂを紛失した場合には、この住人は非接触キー６ｂを紛失した旨を集合住宅の管理人（図示せず）へ知らせると、集合住宅の管理人は非接触キー６ｂを紛失した旨をデータセンター９へ連絡する。
【００４１】
次に、非接触キー６ｂを紛失した旨を受けたデータセンター９の担当者（図示せず）は、データセンター９の管理サーバ９Ａに接続される入力装置を介して、記憶部９Ｂの有効無効識別テーブル９Ｂａに対し、グループ６の非接触キー６ａ〜６ｃの失効有無列１０ｄを無（非接触キー６ａ〜６ｃが有効である）から有（非接触キー６ａ〜６ｃが無効である）に書き換える。これにより、有効無効識別テーブル９Ｂａのうちグループ一括失効状態のもの（図２中段参照）を参照して非接触キー６ａ〜６ｃの照合が行われる。
【００４２】
次に、グループ一括失効状態において非接触キー６ａがエントランスホールリーダ４の読取り・表示部４ａに翳された場合の説明を行うが、手順Ｓ１〜Ｓ５までは前述した通常状態の説明と同様であるので、重複する説明を省略している。
【００４３】
手順Ｓ６において、有効無効識別テーブル９Ｂａのうちグループ一括失効状態のものでは、世帯Ａが属するグループ６の認識番号列１０ｂの非接触キー６ａに対し、失効有無列１０ｄにおいて失効が有り（非接触キー６ａが無効である）になっているので、管理サーバ９Ａは、エントランスホールリーダ４に対する非接触キー６ａの使用が可能でないと判断し、回線制御回路９Ｃ及び広域ネットワーク網８を介してドア制御装置３の回線制御回路３ｅへ非接触キー６ａの失効有の情報、及びエントランスホール１の出入口の開放不可信号を送信する（Ｓ８）。
【００４４】
そして、回線制御回路３ｅから接触キー６ａの失効有の情報及び開放不可信号を受信したＣＰＵ３ａは、通信回路３ｂを介して開放不可信号をエントランスホールリーダ４の通信回路４ｂへ送信すると、読取り・表示部４ａは、自動ドア１Ａが開かない旨の表示やブザー等によって非接触キー６ａが利用不可であることを報知する（Ｓ９）。
【００４５】
次に、グループ一括失効状態においてエントランスホール１内にいる世帯Ａの住人が非接触キー６ａを用いて１０１号室２へ入室する際に、非接触キー６ａが１０１号室リーダ５の読取り・表示部５ａに翳され、非接触キー６ａが有効にされた失効解除状態になるまでの動作の説明を行うが、手順Ｓ１〜Ｓ３までは前述した通常状態の説明と同様であるので、重複する説明を省略している。
【００４６】
手順Ｓ４において管理サーバ９Ａは、回線制御回路９Ｃから非接触キー６ａの識別データ、及び１０１号室２への入室に関する情報を取得するので、受信した情報がエントランスホール１への入室に関する情報でないと判断し、記憶部９Ｂの有効無効識別テーブル９Ｂａのうちグループ一括失効状態のもの（図２中段参照）を参照して照合を行うことにより、非接触キー６ａに対する１０１号室２への入室の可否を判断する。
【００４７】
ここで、有効無効識別テーブル９Ｂａのうちグループ一括失効状態のものでは、世帯Ａが属するグループ６の認識番号列１０ｂの非接触キー６ａに対し、許可列１０ｃにおいて１０１号室２への入室の許可を確認し（Ｓ１０）、許可列１０ｃにおいて１０１号室２への入室の許可が示されているので、管理サーバ９Ａは、非接触キー６ａに対する１０１号室２への入室が許可されていると判断し、エントランスホールリーダ４に対する非接触キー６ａの使用の可否を判断する。
【００４８】
また、有効無効識別テーブル９Ｂａのうちグループ一括失効状態のものでは、世帯Ａが属するグループ６の認識番号列１０ｂの非接触キー６ａに対し、失効有無列１０ｄにおいて失効の有無を確認し（Ｓ１１）、失効有無列１０ｄにおいて失効が有りになっている（非接触キー６ａが無効）ので、管理サーバ９Ａは、エントランスホールリーダ４に対する非接触キー６ａの使用が可能でないと判断し、記憶部９Ｂの有効無効識別テーブル９Ｂａにおける非接触キー６ａの失効有無列１０ｄを有（非接触キー６ａが無効である）から無（非接触キー６ａが有効である）に書き換える（Ｓ１３）。これにより、有効無効識別テーブル９Ｂａのうち失効解除状態のもの（図２下段参照）を参照して非接触キー６ａの照合が行われる。
【００４９】
そして、管理サーバ９Ａは、電気錠２Ｂの解錠指令信号を回線制御回路９Ｃ及び広域ネットワーク網８を介してドア制御装置３の回線制御回路３ｅへ返信する。そして、回線制御回路３ｅから解錠指令信号を受信したＣＰＵ３ａは、電気錠制御装置３ｄを起動し、電気錠制御装置３ｄを作動して電気錠２Ｂを解錠し、１０１号室２の出入口を開放可能にする（Ｓ１２）。
【００５０】
一方、手順Ｓ１０において仮に有効無効識別テーブル９Ｂａのうちグループ一括失効状態のものに、世帯Ａが属するグループ６の認識番号列１０ｂの非接触キー６ａに対し、許可列１０ｃにおいて１０１号室２への入室の不許可が示されていれば、管理サーバ９Ａは、非接触キー６ａに対する１０１号室２への入室が許可されていないと判断し、電気錠２Ｂの解錠不可信号を回線制御回路９Ｃ及び広域ネットワーク網８を介してドア制御装置３の回線制御回路３ｅへ返信する（Ｓ１４）。
【００５１】
そして、回線制御回路３ｅから解錠不可信号を受信したＣＰＵ３ａは、通信回路３ｂを介して解錠不可信号を１０１号室リーダ５の通信回路５ｂへ送信すると、読取り・表示部５ａは、ドア２Ａが開かない旨の表示やブザー等によって非接触キー６ａが利用不可であることを報知する（Ｓ１５）。
【００５２】
次に、失効解除状態において非接触キー６ａがエントランスホールリーダ４の読取り・表示部４ａに翳された場合の説明を行うが、手順Ｓ１〜Ｓ６までは前述した通常状態の説明と同様であるので、重複する説明を省略している。
【００５３】
手順Ｓ６において、有効無効識別テーブル９Ｂａのうち失効解除状態のものでは、世帯Ａが属するグループ６の認識番号列１０ｂの非接触キー６ａに対し、失効有無列１０ｄにおいて失効が無しになっている（非接触キー６ａが有効である）ので、管理サーバ９Ａは、エントランスホールリーダ４に対する非接触キー６ａの使用が可能であると判断し、エントランスホール１の出入口の開放指令信号を回線制御回路９Ｃ及び広域ネットワーク網８を介してドア制御装置３の回線制御回路３ｅへ返信する。
【００５４】
そして、回線制御回路３ｅから開放指令信号を受信したＣＰＵ３ａは、自動ドア制御装置３ｃを起動し、自動ドア駆動装置１Ｂを作動して自動ドア１Ａを開扉し、エントランスホール１の出入口を開放する（Ｓ７）。
【００５５】
次に、失効解除状態において非接触キー６ａが１０１号室リーダ５の読取り・表示部５ａに翳された場合の説明を行うが、手順Ｓ１〜Ｓ３までは前述した通常状態の説明と同様であるので、重複する説明を省略している。
【００５６】
手順Ｓ４において管理サーバ９Ａは、回線制御回路９Ｃから非接触キー６ａの識別データ、及び１０１号室２への入室に関する情報を取得するので、受信した情報がエントランスホール１への入室に関する情報でないと判断し、記憶部９Ｂの有効無効識別テーブル９Ｂａのうち失効解除状態のもの（図２下段参照）を参照して照合を行うことにより、非接触キー６ａに対する１０１号室２への入室の可否を判断する。
【００５７】
ここで、有効無効識別テーブル９Ｂａのうち失効解除状態のものでは、世帯Ａが属するグループ６の認識番号列１０ｂの非接触キー６ａに対し、許可列１０ｃにおいて１０１号室２への入室の許可を確認し（Ｓ１０）、許可列１０ｃにおいて１０１号室２への入室の許可が示されているので、管理サーバ９Ａは、非接触キー６ａに対する１０１号室２への入室が許可されていると判断し、エントランスホールリーダ４に対する非接触キー６ａの使用の可否を判断する。
【００５８】
また、有効無効識別テーブル９Ｂａのうち失効解除状態のものでは、世帯Ａが属するグループ６の認識番号列１０ｂの非接触キー６ａに対し、失効有無列１０ｄにおいて失効の有無を確認し（Ｓ１１）、失効有無列１０ｄにおいて失効が無しになっている（非接触キー６ａが有効）ので、管理サーバ９Ａは、エントランスホールリーダ４に対する非接触キー６ａの使用が可能であると判断し、電気錠２Ｂの解錠指令信号を回線制御回路９Ｃ及び広域ネットワーク網８を介してドア制御装置３の回線制御回路３ｅへ返信する。
【００５９】
そして、回線制御回路３ｅから解錠指令信号を受信したＣＰＵ３ａは、電気錠制御装置３ｄを起動し、電気錠制御装置３ｄを作動して電気錠２Ｂを解錠し、１０１号室２の出入口を開放可能にする（Ｓ１２）。
【００６０】
このように構成した本実施形態によれば、グループ６に分類された世帯Ａの住人が非接触キー６ｂを紛失した場合、記憶部９Ｂの有効無効識別テーブル９Ｂａの失効有無列１０ｄにおいて非接触キー６ａ〜６ｃの失効が有り（非接触キー６ａが無効である）とされ、これらの非接触キー６ａ〜６ｃを用いてもエントランスホール１の出入口が開放されないが、上述したように失効の対象となるエントランスホール１以外の１０１号室２への入室が許可されている非接触キー６ａを１０１号室リーダ５の読取り・表示部５に翳すことにより、管理サーバ９Ａによって記憶部９Ｂの有効無効識別テーブル９Ｂａの失効有無列１０ｄにおいて非接触キー６ａ〜６ｃの失効が無し（非接触キー６ａが有効である）とされ、自動ドア１Ａが開扉可能になるので、紛失していない非接触キー６ａを用いてエントランスホール１の出入口を開放させることができる。これにより、紛失した非接触キー６ｂに属するグループ６の非接触キー６ａ〜６ｃのうち紛失していない非接触キー６ａの利用者に対して、非接触キー６ａの再発行や有効無効識別テーブル９Ｂａの失効有無列１０ｄの書き換えを、データセンター９の担当者へ依頼する必要はない。
【００６１】
特に、紛失した非接触キー６ｂを取得した第三者が、例えばこの非接触キー６ｂを建物への進入等の悪意で使用する場合には、記憶部９Ｂの有効無効識別テーブル９Ｂａの失効有無列１０ｄにおいて非接触キー６ｂの失効が有り（非接触キー６ｂが無効である）になっているので、自動ドア１Ａが開扉せず、第三者はエントランスホール１へ入室することができず、しかも仮に共連れ（自動ドア１Ａを開扉した人と一緒に入室すること）によってエントランスホール１へ入室しても、第三者は非接触キー６ｂが専有部である１０１号室２に有効であることを容易に判断できないので、このように非接触キー６ｂを落としても、ある程度のセキュリティを確保することができる。
【００６２】
また、管理サーバ９Ａは、記憶部９Ｂの有効無効識別テーブル９Ｂａにおいて、紛失していない非接触キー６ａの失効有無列１０ｄを有（非接触キー６ａが無効である）から無（非接触キー６ａが有効である）に書き換えるのにパスワードを使わないようにしたので、非接触キー６ａの利用者である世帯Ａの住人が余分なパスワードを覚えたり、あるいはデータセンター９においてパスワードを管理しなくて済み、世帯Ａの住人やデータセンター９の管理者が受ける煩わしさを軽減することができる。このように、非接触キー６ｂが紛失した場合でも、セキュリティを保ちながら手間をかけることなく、他の非接触キー６ａを容易に使用することができる。
【００６３】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００６４】
また、本実施形態では、ドア制御装置３に広域ネットワーク網８を介して接続されたデータセンター９は、有効無効識別テーブル９Ｂａが格納された記憶部９Ｂと管理サーバ９Ａを有し、この管理サーバ９Ａに認証媒体有効装置が組み込まれた場合について説明したが、この場合に限らず、例えばドア制御装置３が記憶部９Ｂを有し、ドア制御装置３のＣＰＵ３ａに認証媒体有効装置が組み込まれていても同様の効果が得られる。
【００６５】
さらに、本実施形態では、専有部は、集合住宅に居住する各世帯Ａ〜Ｎのうち世帯Ａが居住する１０１号室２から成り、管理サーバ９Ａは、無効処理によって無効にされたグループに属する非接触キー６ａ〜６ｃ，・・・，７ａ〜７ｃの識別コードのうち、１０１号室２への入室が予め許可されている非接触キー６ａ〜６ｃ，・・・，７ａ〜７ｃの識別コードを１０１号室リーダ５が読み取ったとき、当該非接触キー６ａ〜６ｃ，・・・，７ａ〜７ｃを無効から有効にする有効処理を行った場合について主に説明し、１０１号室２以外の専有部に対する管理サーバ９Ａの有効処理の説明を省略したが、この場合に限らず、専有部は記憶部９Ｂの有効無効識別テーブル９Ｂａの許可列１０ｃにおいて予め許可されている場所であれば、例えば図示しない集会所やエレベータ等の共有部であっても、管理サーバ９Ａは、上述の１０１号室２に対する有効処理と同様の処理を行うことができる。
【符号の説明】
【００６６】
１  エントランスホール（共有部）
１Ａ  自動ドア
１Ｂ  自動ドア駆動装置
２  １０１号室（専有部）
２Ａ  ドア
２Ｂ  電気錠
３  ドア制御装置
３ａ  ＣＰＵ
３ｂ，４ｂ，５ｂ  通信回路
３ｃ  自動ドア制御装置
３ｄ  電気錠制御装置
３ｅ  回線制御回路
４  エントランスホールリーダ（共有部読取装置）
４ａ  読取り・表示部
５  １０１号室リーダ（専有部読取装置）
５ａ  読取り・表示部
６，・・・，７  グループ
６ａ〜６ｃ，・・・，７ａ〜７ｃ  非接触キー（認証媒体）
８  広域ネットワーク網
９  データセンター
９Ａ  管理サーバ
９Ｂ  記憶部
９Ｂａ  有効無効識別テーブル
９Ｃ  回線制御回路
１０ａ  グループ列
１０ｂ  認識番号列
１０ｃ  許可列
１０ｄ  失効有無列
【図１】
2014088749.tif 000003
【図２】
2014088749.tif 000004
【図３】
2014088749.tif 000005